(57)【要約】  【課題】温水プールの水温を簡単な装置で、効果的に下げることができる遊泳用プール水の冷却装置を提供すること。  【解決手段】プール内に設置可能な送水用の水中ポンプと、この水中ポンプに接続する共に、プール水面の上方へ水を誘導するための導管を設け、この導管の先端に、プール水面に対して一定の仰角を付して散水するノズルとを設けている。【選択図】        図１
0003130787.tif 000002
【実用新案登録請求の範囲】
【請求項１】
プール内に設置可能な送水用の水中ポンプと、この水中ポンプに接続する共に、プール水面の上方へ水を誘導するための導管と、この導管の先端に設けると共に、プール水面に対して一定の仰角を付して散水するノズルとを設けていることを特徴とする遊泳用等のプール水の冷却装置。
【請求項２】
プール水面に対して、一定の仰角を付すと共に、ほぼ水平方向へ拡散状態に散水可能とするノズルを具備した請求項１記載の遊泳用等のプール水の冷却装置。
【請求項３】
導管をプール内に設置可能な脚部を具備した請求項１又は２記載の遊泳用等のプール水の冷却装置。
【請求項４】
導管をプール壁面に装着する取付部を具備した請求項１又は２記載の遊泳用等のプール水の冷却装置。
【考案の詳細な説明】
【技術分野】
【０００１】
この考案は、遊泳用等の温水プールに貯留された水の温度を低下させるための冷却装置に関する。
【背景技術】
【０００２】
遊泳用等の温水プールは、スポーツクラブ等の施設内やホテル等の屋内又は屋外に多数設置されているが、通常、プール水を循環ポンプで循環させ、濾過器で不純物等を濾過すると共に、熱交換器で加熱して、遊泳に適した温度のプール水を供給している。
そして、プール水の温度は、遊泳や、アクアビクスと呼ばれる水中運動を行うための適温として、上記熱交換器を介して概ね２９〜３０℃に維持されている。
【０００３】
ところで、これらの温水プールでは、気温が高温になる夏期においては、プールの設置場所によって、屋内が高温になったり、太陽の直射によって加熱されたりして、プール水の温度が上記適温を超えて３３℃〜３５℃程度まで上昇する。
このような温度に上昇すると、プールの利用者が、不快感を覚えるようになったり、疲労しやすくなったりして、快適なプール環境ではなくなるという問題が発生する。
【０００４】
このため、従来のプール施設においては、例えば、特開２００３−３３６９０１号公報や特開２００２−１３８３８号公報に開示されたように、プール水を冷却可能な装置を上記した外部の熱交換器側に併設して、プール水の温度を下げるようにしたプール水の温度調節装置を具備するものがあった。
【特許文献１】特開２００３−３３６９０１号公報
【特許文献２】特開２００２−１３８３８号公報
【考案の開示】
【考案が解決しようとする課題】
【０００５】
しかしながら、上記のプール水の温度調節装置では、いずれの装置においても、熱交換器側に冷却のための装置である、電気式ヒートポンプチラー装置、又は、プール水を冷却装置側に導く三方切替弁等の別構造の冷却装置を設置しなければならず、設備費が高騰する原因となり、プール施設を設置したり、維持していくために費用がかかりすぎるという問題点があった。
【０００６】
そこで、この考案は、温水プールの水温を簡単な装置で、効果的に下げることができる遊泳用プール水の冷却装置を提供することを目的としている。
【課題を解決するための手段】
【０００７】
上記目的を達成するため、この考案の請求項１記載の遊泳用プール水の冷却装置は、
プール内に設置可能な送水用の水中ポンプと、この水中ポンプに接続する共に、プール水面の上方へ水を誘導するための導管と、この導管の先端に設けると共に、プール水面に対して一定の仰角を付して散水するノズルとを設けていることを特徴としている
また、この考案の請求項２記載の遊泳用プール水の冷却装置は、一定の仰角を付すと共に、プール水面に対してほぼ水平方向へ拡散状態に散水可能とするノズルを具備したことを特徴としている。
【０００８】
さらに、この考案の請求項３記載の遊泳用プール水の冷却装置は、上記導管をプール内に設置可能な脚部を具備したことを特徴としている。
さらに、この考案の請求項４記載の遊泳用プール水の冷却装置では、上記導管をプール壁面に装着するための取付部を具備したことを特徴としている。
【考案の効果】
【０００９】
上記構成の遊泳用プール水の冷却装置によれば、水中ポンプを稼働させることによって、プール水をプール水面に対して一定の仰角を付して空中に散水することができるので、プール水が気化熱によって空中で冷却されたり、プール水が空気と直接触れたりすることにより、散水された水の温度を低下させることができ、この水をプールへ戻すことにより、プール水の温度を下げることができる。
【００１０】
また、請求項２記載の冷却装置では、散水する水を、プール水面に対して一定の仰角を付すと共に、ほぼ水平方向に拡散可能なノズルを具備しているので、プール水を効率よく冷却するこができる。
さらに、請求項３又は４記載の冷却装置では、ノズルからプール水を散水させた時に生ずる反力による倒伏を効果的に防止して、プール壁面やプール内に安定良く設置することができる。
【考案を実施するための最良の形態】
【００１１】
次いで、この考案を実施するための最良の形態を図面を参照して説明する。図１はこの考案の実施態様のプール水の冷却装置を示す正面図、図２は当該冷却装置による散水状態を示す概略図である。
この冷却装置１は、プールＰ内に設置可能な送水用の水中ポンプ１０と、この水中ポンプ１０に接続する共に、プールＰの水面上方へプール水を誘導するための導管２０と、この導管２０の先端に設けると共に、プール水面に対して一定の仰角を付して散水するためのノズル３０とを設けている。
【００１２】
水中ポンプ１０は、水中に設置可能な自吸式で、かつ、導管２０を介してプールＰの水面上方へ水を送給可能な形態のものである。導管２０は、塩化ビニール管やステンレス管等のパイプ形状のものを用い、上記水中ポンプ１０から送出されたプール水をプール面の上方へ導くものである。この実施の形態では、水中ポンプ１０を台座１１上に設置し、この台座１１内に設けた通路を介して、導管２０に接続している。
【００１３】
そして、ノズル３０は、この実施の態様では、プールＰの水面に対して平行な方向に拡散した状態に散水可能な形状として適当な形として平形ノズル形状を採用している。また、散水角度としては、プールＰの水面に対して仰角を付与して散水可能になっており、プールの幅や長さ等、プールの大きさに対応させると共に、散水する方向に対応させた仰角を設定することができる。
【００１４】
例えば、上記仰角を３０度から４５度程度に設定したときは、遠方に散水させることができ、プール水の滞空時間を確保して効果的に冷却することができる。また、仰角を８０度程度の略垂直方向に設定することにより、当該冷却装置１の近傍に着水させることが出来るため、飛距離のない小さなプールでも使用可能となる。
なお、ノズル３０の形状としては、上記した平形ノズルの他、外形が平形で、かつ横方向に断続した吐出口を設け、それぞれの吐出口から糸状に散水する構成とすることもできる。
【００１５】
また、このノズル３０は、霧状に散水可能な構成としてもよく、プール水を効果的に冷却可能な構成であれば、種々の形状のものを採用することができる。このノズル３０により、プール水を散水することで、気化熱によって冷却させたり、室内の温度が低くなったときは、空中に散水させて空気に直接触れることで冷却できるので、設置条件に合わせて最適な形状のノズルを選択することができるものである。
【００１６】
この冷却装置１は、例えば、水中ポンプ１０を供給電圧１００Ｖで、出力０．４キロワットのものを用い、導管２０は、塩化ビニール管の仕様５０Ａ（内径５０ｍｍ）のものを長さ１０００ｍｍ使用して上記水中ポンプ１０に連結すると共に、先端がプール水面上方に出るように設置している。また、ノズル３０は、上記導管２０の先端に接続した長さ３７５ｍｍのものを用いており、プール水をプール水面に対して仰角３０度を付して散水可能に構成していると共に、プール水面に平行な方向に拡散状態に散水することができるものである。
【００１７】
このような冷却装置１では、例えば、長さ２５ｍ×８コース、水深１ｍのプールにおいて、水温３３℃まで上昇したプール水を、当該冷却装置１を夜間１２時間稼働させた結果、水温３０℃まで冷却することができた。
そして、これらの冷却装置１は、図３に示すように、プール内に設置する場合には、スタンド４０を用いて、導管２０が上下方向となるように設置することができる。スタンド４０は、下方が拡がった３本の脚部４１と、脚部４１の上部で導管２０を支持する支持部４２と、水中ポンプ１０を支持する支持台４３とからなっており、ノズル３０からの散水時に散水の反力を受ける冷却装置１をプール内に安定良く設置することができる。導管２０は、水中ポンプ１０の吐出口へ直接接続したり、支持台４３を介して接続したりすることができる。
【００１８】
また、上記冷却装置１をプール壁面に固定する場合には、図４に示すように、プール壁面に対する支持装置５０を用いて設置することができる。この支持装置５０は、プール壁面に固定するベース部材５１と、ベース部材５１の上部に導管２０の支持部５２と、ベース部材５１の下部に水中ポンプ１０の固定部５３とを具備したものである。この支持装置５０を用いることにより、当該冷却装置１をプール壁面に対して確実に固定することができ、プール水を多量に散水させる場合における強い反力に対しても充分対応することができるもので、安定して散水することができる。
【００１９】
このように、この考案の冷却装置１を用いれば、プール水の温度を効果的に冷却することができ、夏場にプール水の温度が人の遊泳等に適した温度以上に上昇したときであっても、簡単な構成の冷却装置１を用いて、プール水を効率よく冷却することができるものである。なお、プール水の温度をより効果的に冷却するためには、室温をできるだけ低下させておくのが良く、空調装置も同時に稼働させると良い。
【図面の簡単な説明】
【００２０】
【図１】この考案の実施の態様を示す冷却装置１の正面図である。
【図２】上記冷却装置１の使用状態を示す斜視図である。
【図３】（１）（２）上記冷却装置１をスタンドに装着した状態の正面図及び平面図である。
【図４】（１）（２）上記冷却装置１をプール壁面に装着した状態の正面図及び側面図である。
【符号の説明】
【００２１】
１        冷却装置
１０      水中ポンプ
２０      導管
３０      ノズル
４０      スタンド
５０      支持装置
【図１】
0003130787.tif 000003
【図２】
0003130787.tif 000004
【図３】
0003130787.tif 000005
【図４】
0003130787.tif 000006